(57)【特許請求の範囲】
【請求項１】
かご扉を開閉させる扉開閉ボタン、識別情報を記憶した記憶媒体から識別情報を読み取る情報読取部、および、情報読取部によって読み取られた識別情報が予め登録されているものである場合にタッチパネル式行き先階登録ボタンを表示可能なタッチパネル式の表示部を含むかご内操作盤と、情報読取部で読み取られた識別情報が予め登録されているものか否かを判定部で判定し、前記識別情報が予め登録されているものであると判定されたとき表示部に行き先階登録ボタンを表示するよう制御する制御部と、を備え、
前記制御部は、情報読取部で読み取られた識別情報の判定結果に基づいて、行き先階登録ボタンを含む通常モードと、行き先階登録ボタンに加えて保守用メニューまたは管理用メニューを含む保守管理モードとの間で表示部の表示画面を切り替え可能な切替部をさらに含み、保守管理モードでは、通常モードの場合に比べて行き先階登録ボタンの表示領域をずらして保守用メニューまたは管理用メニューの表示領域を確保しており、
前記切替部は、前記識別情報が管理人用のものである場合には前記表示部に前記管理用メニューを表示させる一方、前記識別情報が保守員用のものである場合には前記表示部に前記保守用メニューを表示させ、前記管理用メニューは複数の管理用機能設定切替スイッチを含み、前記保守用メニューは前記管理用機能設定切替スイッチに加えて複数の保守用機能設定切替スイッチをさらに含み、
前記複数の保守用機能設定切替スイッチには点検終了ボタンが含まれ、前記制御部は、前記点検終了ボタンがタッチ操作されると、保守作業時の前記複数の管理用機能設定切替スイッチの操作および前記複数の保守用機能設定切替スイッチの操作により設定変更された機能を初期状態に自動復帰させる、エレベータ。
【請求項２】
請求項１に記載のエレベータにおいて、
前記複数の管理用機能設定切替スイッチには、かご運転休止スイッチ、かご内照明スイッチ、ファン用スイッチ、各階強制停止運転スイッチ、および、独立運転スイッチが含まれる、エレベータ。
【請求項３】
請求項１または２に記載のエレベータにおいて、
前記複数の保守用機能設定切替スイッチには、前記点検終了ボタンに加えて、かご自動手動運転切替スイッチ、点検用スイッチ、ドア用スイッチ、かご移動スイッチを含む、エレベータ。
【請求項４】
請求項１から３のいずれか１つに記載のエレベータにおいて、
識別情報を記憶した記憶媒体は識別カードであり、情報読取部は識別カードが挿入されて保持されるカード挿入スロットを有することを特徴とするエレベータ。
【請求項５】
請求項４に記載のエレベータにおいて、
識別カードは、識別情報をＩＣチップに記憶するＩＣカード、または、識別情報を磁気的に記憶する磁気カードであることを特徴とするエレベータ。
【請求項６】
請求項４または５に記載のエレベータにおいて、
表示部に表示される保守用メニューは点検終了ボタンを含み、保守用メニュー表示中に点検終了ボタンが押されることなく識別カードが情報読取部のカード挿入スロットから抜かれたとき、保守用メニューで変更された機能設定を維持しつつタッチパネルを無機能化することを特徴とするエレベータ。
【請求項７】
請求項１から６のいずれか１つに記載のエレベータにおいて、
通常モードの表示画面中において、乗客に対するメッセージ画像を表示させることを特徴とするエレベータ。
【発明の詳細な説明】
【技術分野】
【０００１】
本発明は、エレベータに係り、特に、タッチパネル式表示部を含むかご内操作盤を備えるエレベータに関する。
【背景技術】
【０００２】
従来、複数階床を有するマンション、オフィスビル、商業施設等において、エレベータが広く普及している。通常、エレベータは、エレベータ管理会社の保守員が保守点検や修理等を行っている。その保守点検等の作業時に保守員が操作する保守点検用のスイッチ類は、かご内操作盤の下部にあって鍵付きカバーで覆われたスイッチ類収納部に収納されており、保守員が持つ専用キーでカバーを開いて操作されるのが一般的である。
【０００３】
ここで、特許文献１には、かご内操作盤に設置されている複数の行き先階登録ボタンに対応して保守時の機能を示す機能表示灯がそれぞれ設けられており、保守員が持つ識別カードをかご内操作盤に設置されたカードリードに挿入することによって、上記行き先階登録ボタンを保守時の機能設置ボタンとして使用できるようにしたエレベータの保守時操作装置が開示されている。
【０００４】
また、特許文献２には、予め設定された情報を記憶したカードを有する者だけが乗場かご呼び登録およびかご内行き先階登録を可能にすることで、カードを持たない第三者がエレベータを利用できないようにして、マンション等に設置されるエレベータのセキュリティ向上を図ったエレベータの制御装置が開示されている。
【０００５】
【特許文献１】特開平１０−１９４６２２号公報
【特許文献２】特開２００５−１７０５２９号公報
【発明の開示】
【発明が解決しようとする課題】
【０００６】
しかし、上記特許文献１に開示されるエレベータの保守時操作装置では、通常の乗客には全く関係がない複数の機能表示灯がかご内操作盤上に複数の行き先階登録ボタンと混じって存在しているため、かご内操作盤の操作性や意匠的美観を損ねることになる。
【０００７】
また、特にマンションに設置されるエレベータにおいては、居住者や管理人以外の不特定の第三者が利用できないようにしてセキュリティ性を維持することも重要である。
【０００８】
本発明の目的は、エレベータのセキュリティ性を維持しながら、かご内操作盤について意匠的美観が良く且つ操作性を良好なものにできると共に小型化および省スペース化が可能なエレベータを提供することにある。
【課題を解決するための手段】
【０００９】
本発明に係るエレベータは、かご扉を開閉させる扉開閉ボタン、識別情報を記憶した記憶媒体から識別情報を読み取る情報読取部、および、情報読取部によって読み取られた識別情報が予め登録されているものである場合にタッチパネル式行き先階登録ボタンを表示可能なタッチパネル式の表示部を含むかご内操作盤と、情報読取部で読み取られた識別情報が予め登録されているものか否かを判定部で判定し、前記識別情報が予め登録されているものであると判定されたとき表示部に行き先階登録ボタンを表示するよう制御する制御部と、を備え、
前記制御部は、情報読取部で読み取られた識別情報の判定結果に基づいて、行き先階登録ボタンを含む通常モードと、行き先階登録ボタンに加えて保守用メニューまたは管理用メニューを含む保守管理モードとの間で表示部の表示画面を切り替え可能な切替部をさらに含み、保守管理モードでは、通常モードの場合に比べて行き先階登録ボタンの表示領域をずらして保守用メニューまたは管理用メニューの表示領域を確保しており、
前記切替部は、前記識別情報が管理人用のものである場合には前記表示部に前記管理用メニューを表示させる一方、前記識別情報が保守員用のものである場合には前記表示部に前記保守用メニューを表示させ、前記管理用メニューは複数の管理用機能設定切替スイッチを含み、前記保守用メニューは前記管理用機能設定切替スイッチに加えて複数の保守用機能設定切替スイッチをさらに含み、
前記複数の保守用機能設定切替スイッチには点検終了ボタンが含まれ、前記制御部は、前記点検終了ボタンがタッチ操作されると、保守作業時の前記複数の管理用機能設定切替スイッチの操作および前記複数の保守用機能設定切替スイッチの操作により設定変更された機能を初期状態に自動復帰させるものである。
【００１０】
本発明に係るエレベータにおいて、前記複数の管理用機能設定切替スイッチには、かご運転休止スイッチ、かご内照明スイッチ、ファン用スイッチ、各階強制停止運転スイッチ、および、独立運転スイッチが含まれてもよい。
【００１１】
また、本発明に係るエレベータにおいて、前記複数の保守用機能設定切替スイッチには、前記点検終了ボタンに加えて、かご自動手動運転切替スイッチ、点検用スイッチ、ドア用スイッチ、かご移動スイッチを含んでもよい。
【００１２】
また、本発明に係るエレベータにおいて、識別情報を記憶した記憶媒体は識別カードであり、情報読取部は識別カードが挿入されて保持されるカード挿入スロットを有してもよい。この場合、識別カードは、識別情報をＩＣチップに記憶するＩＣカード、または、識別情報を磁気的に記憶する磁気カードであってもよい。
【００１３】
また、本発明に係るエレベータにおいて、表示部に表示される保守用メニューは点検終了ボタンを含み、保守用メニュー表示中に点検終了ボタンが押されることなく識別カードが情報読取部のカード挿入スロットから抜かれたとき、保守用メニューで変更された機能設定を維持しつつタッチパネルを無機能化してもよい。
【００１４】
さらに、本発明に係るエレベータにおいて、通常モードの表示画面中において、乗客に対するメッセージ画像を表示させてもよい。
【発明の効果】
【００１５】
本発明に係るエレベータによれば、情報読取部によって読み取られた識別情報が判定部で予め登録されているものであると判定されたときだけにタッチパネル式の表示部に行き先階登録ボタンを表示させるので、それ以外の第三者はかご内での行き先階登録を行うことができず、エレベータの利用が特定者だけに制限されセキュリティ性が確保される。
【００１６】
また、かご内操作盤にタッチパネル式の表示部を設けたことで、表示部に行き先階登録ボタンを表示する以外に、例えばマンション管理人やエレベータ保守員が利用する保守管理用スイッチ類を表示させることができるので、従前のように保守管理用スイッチ類を収納する鍵付きのスイッチ類収納部を別途設ける必要がなく、かご内操作盤の意匠的美観がすっきりとした良好なものになると共に小型化および省スペース化を図れる。
【発明を実施するための最良の形態】
【００１７】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。また、本実施形態においては、マンションに設置されているエレベータを例に説明するが、本発明はオフィスビル、商業施設等の他のビルに設置されるエレベータにも適用可能である。
【００１８】
図１は、本発明の一実施形態であるエレベータ１０のかご１２をかご内からかご扉１４に向かって見た正面図である。かご１２の上部にはワイヤ製のロープ１３が連結されており、ロープが図示しない巻上機によって巻き上げまたは巻き降ろしされることによって昇降路内を上下に移動するようになっている。
【００１９】
かご１２の乗降口となるかご扉１４は、かご上に設けられる図示しない扉駆動装置によって、両開き式または片開き式で開閉作動するようになっている。
【００２０】
かご１２において、かご扉１４の側方に位置する壁面には、かご内操作盤１６が設置されている。かご内操作盤１６は、カードが挿入されて保持されるカード挿入スロット１８、乗客がかご扉１４を開閉動作させるための扉開閉ボタン２０、閉じ込め等の非常時に乗客が外部と連絡を取り合うための非常用インターホン２２、および、タッチパネル式の表示部２４を下方から順に含んで構成されている。
【００２１】
かご内操作盤１６においてカード挿入スロット１８の奥には、カード情報読取部２６（図２参照）が配置されている。かご１２内に乗り込んだマンション居住者、マンション管理人およびエレベータ保守員である特定者１が持つ識別カード（記憶媒体）２をカード挿入スロット１８に挿入することによって、識別カード２に記憶されている識別情報がカード情報読取部２６によって読み取られるようになっている。
【００２２】
識別カード２は、識別情報をＩＣチップに記憶するＩＣカードであることが好ましいが、識別情報を磁気的に記憶する磁気カードであってもよい。また、カード情報読取部２６による識別カード２からの情報読取方式は、非接触型または接触型のいずれでもよい。
【００２３】
さらに、識別情報を記憶する記憶媒体はカードに限らず、他の形態もの、例えばキー自体やキーホルダにＩＣチップを埋設したものであってもよい。この場合のカード情報読取部２６は、カード挿入スロットを有していなくてもよく、ＩＣチップ内蔵の記憶媒体をカード情報読取部２６にかざすか、または近接させることにより識別情報を読み取ることができる非接触式のものが好適に用いられる。
【００２４】
なお、本実施形態では、かご内操作盤１６がカード挿入スロット１８、扉開閉ボタン２０、非常用インターホン２２および表示部２４を一体に含んで構成されるように図示しているが、これに限定されるものではなく、扉開閉ボタン２０、非常用インターホン２２および表示部２４の少なくとも一部がかご内側壁面に別個に配置されてかご内操作盤を構成していてもよい。
【００２５】
タッチパネル式の表示部２４は、かご内操作盤１６の輪郭に沿うように縦長の長方形状に形成されている。また、タッチパネルの方式は、抵抗膜方式、静電容量方式または他の周知の方式のものを用いることができる。さらに、表示部２４を構成する表示装置としては、例えばＬＣＤ、有機ＥＬ、ＳＥＤ等の薄型の表示装置が好適に用いられる。
【００２６】
図２は、かご内操作盤１６の表示部２４の表示制御を実行する制御部２８を中心として電気的接続関係を示すブロック図である。かご内操作盤１６においてカード挿入スロット１８の奥に設けられるカード情報読取部２６は、制御部２８に接続されている。制御部２８は、情報判定部３０、表示画面切替部３２および機能設定部３４を含み、具体的には、制御プログラムや予め登録される識別情報を記憶するメモリや、メモリから制御プログラムを読み出して実行するＣＰＵ（中央演算処理装置）等から構成される。制御部２８は、エレベータ１０の全体の制御を司るエレベータ制御盤３６に接続されている。なお、制御部２８は、エレベータ制御盤３６の一部として組み込まれてもよい。
【００２７】
制御部２８において、情報判定部３０は、カード情報読取部２６によって識別カード２から読み取られた識別情報が予め登録されているものであるか否かを判定する機能を有する。ここで、予め登録されている識別情報は、マンション居住者に付与されているもの、マンション管理人に付与されるもの、および、エレベータ管理会社の保守員に付与されているもの、の３つに分類され、情報判定部３０は識別情報がどの分類に属するものかを判定する機能も有する。
【００２８】
制御部２８において表示画面切替部３２は、情報判定部３０の判定結果に基づいて、かご内操作盤１６の表示部２４の表示画面を切り替える機能を有する。具体的には、表示部２４による表示画面には、カード挿入スロット１８にカードが未挿入の状態で行き先階登録ボタンが表示されていないオフモード、マンション居住者用の通常モード、マンション管理人用の管理モード、および、保守員用の保守モードの４つのモードがある。ここで、管理モードと保守モードとでは共通する表示部分があるため、併せて保守管理モードということとする。
【００２９】
通常モードでの表示部２４の表示画面を図３に示す。図示するように、通常モードでの表示部２４には、かご１２の現在位置する階床数とかご移動方向を示す矢印とを表示するインジケータ部３８、および、かご１２が停止可能な各階床に対応する複数のタッチパネル式の行き先階登録ボタン４０が表示される。また、行き先階登録ボタン４０の下方（または上方）に位置する掲示領域４２には、乗客に対するメッセージ画像、例えば、マンション入居者に対するお知らせや注意事項等を表示することができる。
【００３０】
このようにタッチパネル式行き先階登録ボタン４０が表示されている状態で、マンション居住者である乗客が例えば５階のボタンにタッチすると、図４に示すように、５階ボタンが反転表示して、５階が行き先階または目的階として登録されたことが分かるようになっている。なお、タッチボタン操作者に操作結果が分かるようにする方法は、反転表示に限定されず、他の方法、例えば表示数字の周囲をタッチ後に地色および表示数字とは異なる別の色に発色させてもよく、このことは後述する保守管理モードでのタッチパネル式機能設定切替スイッチの変更表示についても同様である。
【００３１】
続いて、保守管理モードでの表示部２４の表示画面について図５〜９を参照して説明する。管理人または保守員が認識カード２をかご内操作盤１６のカード挿入スロット１８に挿入すると、表示部２４には図５に示すよう画面が表示される。この表示画面では、インジケータ部３８およびタッチパネル式行き先階登録ボタン４０が表示されることについては通常モードの場合と同様であるが、行き先階登録ボタン４０の表示位置が通常モードの場合よりも上方にずらしてあることで、行き先階登録ボタン４０の下方に管理用メニューまたは保守用メニューを表示する保守管理領域４４が確保されている。この保守管理領域４４は、複数の機能設定切替スイッチを見やすく表示することが望ましいことから、通常モードにおける掲示領域４２よりも大きく設定されるのが好ましい。
【００３２】
識別カード２が管理人用のものである場合、図５における表示部２４の保守管理領域４４には、図６に示すような管理用メニューが表示される。この管理用メニューには、かご１２の運転・休止を設定する運転・休止スイッチ４６、かご１２内の照明を点灯・消灯を設定するかご内照明スイッチ４８、かご内ファンの運転・休止を設定するファン用スイッチ５０、かご１２の停止階を平常・各階に設定する各階強制停止運転スイッチ５２、および、「独立」に設定されるとかご１２が乗場からの呼びに応答しなくなる独立運転スイッチ５４の各種機能切替スイッチが表示される。この管理用メニューにおいて管理人が、例えばかご内ファンを作動停止させるためにファン用スイッチ５０の「切」をタッチ操作すると、図７に示すように「切」スイッチが反転表示してファン停止状態に設定されたことを視覚により確認することができる。
【００３３】
一方、識別カード２が保守員用のものである場合、図５における表示部２４の保守管理領域４４には、図８に示すような保守用メニューが表示される。この保守用メニューは、管理用メニューを全て含むと共に、かご１２の運転を自動・手動に切り替えるかご運転切替スイッチ５６、保守時に平常から点検中に切り替える点検用スイッチ５８、かご扉１４の作動を停止させるドア用スイッチ６０、手動運転設定時にかご１２を上下に手動で移動させるためのかご移動スイッチ６２、および、点検終了時にタッチ操作される点検終了ボタン６４をさらに含む。保守員がエレベータ１０の保守点検や修理等を行う際、この保守用メニューを使用して、図９に示すように、例えばかご運転切替スイッチ５６の「手動」スイッチ、点検用スイッチ５８の「点検中」スイッチ、ドア用スイッチ６０の「切」スイッチをそれぞれタッチ操作することで機能設定の変更を行い、そのタッチ操作されたスイッチを反転表示させることで各種機能設定が変更されたことを視覚的に確認することができる。
【００３４】
また、保守用メニューにおける点検終了ボタン６４は、保守員が保守点検や補修等の作業を終了したときにタッチ操作することで、上記のように設定変更された各機能を初期設定に自動復帰させる機能を有する。
【００３５】
次に、上記構成からなるエレベータ１０の動作について図１０〜１３を参照しながら説明する。図１０〜１３は、制御部２８において実行される各処理手順を示すフローチャートである。
【００３６】
エレベータ１０を利用等しようとする人が乗場壁にあるかご呼びボタンを押し操作することで、かご１２がその乗場階に停止しているときは直ちに、あるいは、かご１２がその乗場階以外の階床にあるときはその乗場階まで移動して着床した後、かご扉１４およびこれに連動する乗場扉が開動作する。このとき、かご内操作盤１６では、カード挿入スロット１８にはカード未挿入であるため、表示部２４は行き先階登録ボタンが表示されていないオフモードになっている。
【００３７】
まず、制御部２８では、扉開動作の後、かご内操作盤１６のカード挿入スロット１８に識別カード２が挿入されたか否かを判定する（ステップＳ１０）。かご１２内に乗り込んだ乗客が居住者、管理人および保守員である特定者以外の第三者の場合、識別カード２を持っていないために表示部２４はオフモードのままで行き先階登録ができない。また、何らかのカードをカード挿入スロット１８に挿入したとしても、カード情報読取部２６で識別情報を読み取ることができないか、仮に読み取ったとしても情報判定部３０において特定者であると判定されない。したがって、上記特定者以外の第三者はエレベータ１０を利用することができず、エレベータ１０のセキュリティ性の向上を図れる。
【００３８】
一方、かご１２内の乗り込んだ乗客が上記特定者である場合、識別カード２がカード挿入スロット１８に挿入されると、カード情報読取部２６は識別カード２から識別情報を読み取って制御部２８へ送信する。制御部２８では、情報判定部３０によってその識別情報が予め登録されているものであるか否かが判定され（ステップＳ１２）、そのカード保持者が居住者、管理人、保守員のいずれであるかを判定する。そして、その判定結果に応じて、かご内操作盤１６の表示部２４に、居住者の場合は図３に示す通常モードの表示画面、管理人の場合には図５に示す保守管理モードで図６に示す管理用メニューを保守管理領域４４に付加した表示画面、保守員の場合には図５に示す保守管理モードで図８に示す保守メニューを保守管理領域４４に付加した表示画面が、それぞれ表示される（ステップＳ１４,Ｓ１６,Ｓ１８）。
【００３９】
図１１に示すように、表示部２４に通常モードの表示画面が表示されたとき、所定時間（例えば１０秒程度）内に行き先階登録がなされたか否かを判定する（ステップＳ２０）。このとき、居住者が表示部２４上で行き先階登録ボタン４０を選択してタッチ操作することにより行き先階または目的階が登録される。その後は、エレベータ制御盤３６による制御にしたがって、かご１２が目的階まで移動して着床し、扉開動作を実行する。そして、扉開動作が完了したことを確認して（ステップＳ２２）、表示部２４をオフモードにする（ステップＳ２４）。なお、何らかの理由で所定時間内に行き先階登録がない場合にも（ステップＳ２０でＮＯ）、表示部２４をオフモードにする（ステップＳ２４）。この場合には、かご１２内にいる居住者は、識別カード２を挿入し直して、表示部２４に通常モード画面を再表示させることができる。
【００４０】
図１２に示すように、表示部２４に管理用メニュー（図６参照）を含む保守管理モード画面が表示されたとき、管理人による機能設定切替スイッチ４６〜５４のタッチ操作で機能設定の変更がなされると（ステップＳ２６でＹＥＳ）、その変更された機能の設定変更指令をエレベータ制御盤３６へ出力する（ステップＳ２８）。エレベータ制御盤３６は、この設定変更指令にしたがって機能設定を実行すると共に、その機能設定状態を記憶する。例えば、運転・休止スイッチ４６によるかご１２の運転休止、かご内照明スイッチ４８によるかご内照明の消灯、ファン用スイッチ５０によるファンの作動停止等である。
【００４１】
その後、カード挿入スロット１８から識別カード２が抜かれたか否かを判定する(ステップＳ３０)。また、機能設定切替スイッチ４６〜５４のタッチ操作による機能変更がなされなかった場合も同様に（ステップＳ２６でＮＯ）、識別カード２が抜かれたか否かを判定する。識別カード２が抜かれていない場合には上記ステップＳ２６に戻り、一方、識別カード２が抜かれた場合には表示部２４をオフモードにする(ステップＳ３２)。
【００４２】
図１３に示すように、表示部２４に保守用メニュー（図８参照）を含む保守管理モード画面が表示されたとき、保守員による機能設定切替スイッチ４６〜６２のタッチ操作で機能設定の変更がなされると（ステップＳ３４でＹＥＳ）、その変更された機能の設定変更指令をエレベータ制御盤３６へ出力する（ステップＳ３６）。エレベータ制御盤３６は、この設定変更指令にしたがって機能設定を実行すると共に、その機能設定状態を記憶する。例えば、かご運転切替スイッチ５６によるかご１２の自動運転から手動運転への変更、点検用スイッチ５８による平常から点検中への変更、ドア用スイッチ６０によるかご扉１４の作動オフへの変更等である。
【００４３】
また、保守用メニューは上記管理用メニューと同様の機能設定切替スイッチ４６〜５４も表示されるため、保守員が運転・休止スイッチ４６、かご内照明スイッチ４８、ファン用スイッチ５０等をタッチ操作で機能変更することも可能である。
【００４４】
その後、点検終了ボタン６４がタッチ操作されたか否かを判定する(ステップＳ３８)。点検終了ボタン６４は保守員が保守点検終了時に操作することになっているため、点検終了ボタン６４がタッチ操作されたときには（ステップＳ３８でＹＥＳ）、保守点検開始に当たって変更された機能設定を全て初期設定に自動復帰させるようエレベータ制御盤３６へ指令を出力する(ステップＳ４８)。そして、カード挿入スロット１８から識別カード２が抜かれたか否かを判定し(ステップＳ５０)、識別カード２が抜かれるのを待って(ステップＳ５０でＹＥＳ)、表示部２４をオフモードにする(ステップＳ５２)。
【００４５】
点検終了ボタン６４がタッチ操作されていない場合にも(ステップＳ３８でＮＯ)、カード挿入スロット１８から識別カード２が抜かれたか否かを判定する（ステップＳ４０）。保守点検中に、保守員がかご１２が位置する階床とは別の階床に行って作業することがあり、そのときに識別カード２を一旦抜いて持っていくためである。
【００４６】
識別カード２が抜かれていない場合には（ステップＳ４０でＮＯ）、上記ステップＳ３４に戻ってステップＳ３４〜３８を繰り返し処理する。一方、識別カード２が抜かれたとき（ステップＳ４０でＹＥＳ）、表示部２４の表示画面を維持したままタッチパネルを無機能化または無効化する（ステップＳ４２）。これにより、保守点検中に保守員が別の階床に行っている間に、保守員以外の者によって保守管理メニューを含む表示画面でタッチ操作されてしまうのを防止できる。また、このとき表示部２４を消灯させて、行き先階登録ボタン４０や保守管理メニューが表示されないようにしてもよい。
【００４７】
その後、カード挿入スロット１８に保守開始時に挿入されたのと同一の識別カード２が挿入されたか否かを判定する(ステップＳ４４)。ここで、同一の識別カードとするのは、居住者や管理人が所持する識別カード２と区別するためである。ただし、複数の保守員が保守点検作業を行っている場合に、保守開始時に挿入されたのとは別の保守員用識別カード２が挿入されたときには、同一カードであるとみなしてもよい。
【００４８】
同一の識別カード２が挿入されると（ステップＳ４４でＹＥＳ）、表示部２４のタッチパネルを機能復帰または有効化し（ステップＳ４６）、各保守用機能設定切替スイッチ４６〜６２をタッチ操作可能にする。その後、上記ステップＳ３４へ戻ってステップＳ３４〜３８を繰り返し処理し、点検終了ボタン６４がタッチ操作されたとき(ステップＳ３８でＹＥＳ)、変更された機能設定を初期設定に自動復帰させた後(ステップＳ４８)、識別カード２が抜かれるのを待って(ステップＳ５０)、表示部２４をオフモードにする(ステップＳ５２)。
【００４９】
上述したように、本実施形態のエレベータ１０によれば、カード情報読取部２６によって読み取られた識別情報が情報判定部３０で予め登録されているものであると判定されたときだけにタッチパネル式の表示部２４に行き先階登録ボタン４０を表示させるので、それ以外の第三者はかご１２内での行き先階登録を行うことができず、エレベータ１０の利用が居住者、管理人および保守員の特定者だけに制限されセキュリティ性が確保される。
【００５０】
また、かご内操作盤１６にタッチパネル式の表示部２４を設けたことで、表示部２４に行き先階登録ボタン４０を表示する以外に、管理人や保守員が利用する保守管理用スイッチ類４６〜６２を表示させることができるので、従前のように保守管理用スイッチ類を収納する鍵付きのスイッチ類収納部を別途設ける必要がなく、かご内操作盤１６の意匠的美観がすっきりとした良好なものになると共に、かご内操作盤１６の小型化および省スペース化を図れる。
【００５１】
なお、本発明に係るエレベータは、上記エレベータ１０の構成に限定されるものではなく、種々の変更や改良が可能である。
【００５２】
例えば、識別カード２の抜き忘れ防止のために、かご扉１４の開動作または閉動作の開始時に「カードが残っています」といったような音声アナウンスを非常用インターホン２２のスピーカから発するようにしてもよい。
【図面の簡単な説明】
【００５３】
【図１】本発明の一実施形態であるエレベータのかごの概略構成図である。
【図２】カード情報読取部、制御部およびエレベータ制御盤の接続関係を示すブロック図である。
【図３】かご内操作盤の表示部に、通常モード画面が表示されている状態を示す図である。
【図４】タッチパネル式行き先階登録ボタンがタッチ操作によって反転表示された状態を示す図である。
【図５】かご内操作盤の表示部に、保守管理モード画面が表示されている状態を示す図である。
【図６】図５における保守管理領域に表示される管理用メニューを示す図である。
【図７】図６においてファン用スイッチが切に設定された状態を示す図である。
【図８】図５における保守管理領域に表示される保守用メニューを示す図である。
【図９】図８においてかご運転スイッチが手動に、点検用スイッチが点検中に、ドア用スイッチが切にそれぞれ設定された状態を示す図である。
【図１０】制御部において実行される制御プログラムの処理を示すフローチャートである。
【図１１】制御部において実行される制御プログラムの処理を示すフローチャートであり、図１０の続きである。
【図１２】制御部において実行される制御プログラムの処理を示すフローチャートであり、図１０の続きある。
【図１３】制御部において実行される制御プログラムの処理を示すフローチャートであり、図１０の続きである。
【符号の説明】
【００５４】
１  特定者、２  識別カード、１０  エレベータ、１２  かご、１３  ロープ、１４  かご扉、１６  かご内操作盤、１８  カード挿入スロット、２０  かご扉開閉ボタン、２２  非常用インターホン、２４  表示部、２６  カード情報読取部、２８  制御部、３０  情報判定部、３２  表示画面切替部、３４  機能設定部、３６  エレベータ制御盤、３８  インジケータ部、４０  行き先階登録ボタン、４２  掲示領域、４４  保守管理領域、４６  運転・休止スイッチ、４８  かご内照明スイッチ、５０  ファン用スイッチ、５２  各階強制停止運転スイッチ、５４  独立運転スイッチ、５６  運転切替スイッチ、５８  点検用スイッチ、６０  ドア用スイッチ、６２  かご移動スイッチ、６４  点検終了ボタン。
【図１】
0005210027.tif 000002
【図２】
0005210027.tif 000003
【図３】
0005210027.tif 000004
【図４】
0005210027.tif 000005
【図５】
0005210027.tif 000006
【図６】
0005210027.tif 000007
【図７】
0005210027.tif 000008
【図８】
0005210027.tif 000009
【図９】
0005210027.tif 000010
【図１０】
0005210027.tif 000011
【図１１】
0005210027.tif 000012
【図１２】
0005210027.tif 000013
【図１３】
0005210027.tif 000014